(57)【要約】      （修正有）【課題】簡単に組立可能であり、多様な組立形態を有する増設可能な棚装置を提供する。【解決手段】一組の棚板アセンブリ１００と、二つの垂直フレームアセンブリ２０と、を備える。一組の棚板アセンブリ１００は、三つの棚板部材１０を有する。棚板部材１０は、四分円の板状構造に形成され、一つの四分円弧の周縁１１及び互いに垂直する二つの側縁１２を有する。垂直フレームアセンブリは、一対の垂直フレーム２１及び三つの水平フレーム２２を有する。一対の垂直フレーム２１は、互いに隣接及び平行し、間に第一距離の間隔を有する。【選択図】図１
0003191654.tif 000002
【実用新案登録請求の範囲】
【請求項１】
少なくとも一組の棚板アセンブリと、
少なくとも二つの垂直フレームアセンブリと、を備え、
前記棚板アセンブリは、少なくとも二つの棚板部材を有し、
前記棚板部材は、四分円の形状を有し、一つの円弧状縁及び互いに直交する二つの側縁を有し、
前記側縁は、前記棚板部材の板面と直交する方向に立設されている固定部が形成されており、
前記垂直フレームアセンブリは、一対の垂直フレーム及び少なくとも二つの水平フレームを有し、
一対の前記垂直フレームは、所定間隔を隔て、互いに平行となるよう配置されており、
前記垂直フレームは、長方形の断面を有し、
前記水平フレームは、内縁、外縁、および複数の接続部を有し、
前記接続部は、前記内縁に設置されており、前記垂直フレームに固定されており、
前記棚板部材は、前記垂直フレームアセンブリの二つの前記水平フレームに架設されており、
前記棚板部材の前記固定部は、前記水平フレームの前記内縁に当接されていることを特徴とする増設可能な棚装置。
【請求項２】
前記棚板アセンブリは、一組であり、
前記垂直フレームアセンブリは、二つであり、
一組の前記棚板アセンブリは、水平方向の断面が、中心角が９０度である弧形に形成されていることを特徴とする請求項１に記載の増設可能な棚装置。
【請求項３】
前記棚板アセンブリは、二組であり、
前記垂直フレームアセンブリは、三つであり、
二組の前記棚板アセンブリは、水平方向の断面が、中心角が１８０度である弧形に形成されていることを特徴とする請求項１に記載の増設可能な棚装置。
【請求項４】
前記棚板アセンブリは、三組であり、
前記垂直フレームアセンブリは、四つであり、
三組の前記棚板アセンブリは、水平方向の断面が、中心角が２７０度である弧形に形成されていることを特徴とする請求項１に記載の増設可能な棚装置。
【請求項５】
前記棚板アセンブリは、四組であり、
前記垂直フレームアセンブリは、四つであり、
四組の前記隣接した棚板部材は、水平方向の断面が、円形に形成されていることを特徴とする請求項１に記載の増設可能な棚装置。
【請求項６】
前記棚板アセンブリは、Ｎ組であり、
前記垂直フレームアセンブリは、Ｎ＋１個であり、
Ｎ組の前記棚板部材は、水平方向の断面が、連続湾曲状に形成されていることを特徴とする請求項１に記載の増設可能な棚装置。（Ｎは、四以上の自然数である）
【請求項７】
前記水平フレームの前記内縁により囲まれている空間は、二つの前記固定部が同時に嵌入されていることを特徴とする請求項１に記載の増設可能な棚装置。
【請求項８】
少なくとも一つの長方形棚板部材をさらに備え、
前記長方形棚板部材は、四つの側縁を有し、互いに対向する二つの側縁に、板面と直交する方向に立設されている固定部が形成されており、前記垂直フレームアセンブリの二つの前記水平フレームに架設されており、
前記長方形棚板部材の固定部は、前記水平フレームの前記内縁に当接されていることを特徴とする請求項１に記載の増設可能な棚装置。
【請求項９】
前記水平フレームの前記内縁により囲まれている空間は、一つの前記棚板部材の固定部及び一つの前記長方形棚板部材の固定部が同時に嵌入されていることを特徴とする請求項８に記載の増設可能な棚装置。
【請求項１０】
前記水平フレームの前記内縁により囲まれている空間は、二つの前記長方形棚板部材の固定部が同時に嵌入されていることを特徴とする請求項８に記載の増設可能な棚装置。
【考案の詳細な説明】
【技術分野】
【０００１】
本考案は、増設可能な棚装置に関する。
【背景技術】
【０００２】
図１５に示すように、現在、市場に多く存在している置物棚９０は、複数の棚板部材９１及ぶ複数の固定フレーム部材９２を備える。棚板部材９１は、螺子、嵌接等の通常の組立方式で固定フレーム部材９２に固定されている。
しかしながら、通常の置物棚９０は、互いに接続する固定方式が設計されない、また、浴室用品を置くための寸法範囲が設計されている。よって、使用者は、品物を置く大きな面積を必要とする、あるいは異なるスタイルで陳列する時に、通常の置物棚９０が目的を達成できないため、大きな面積を有する置物棚、あるいは異なるスタイルの置物棚を購入する必要がある。
上述の短所及び問題点を解決するために、新製品を開発する必要がある。
【考案の概要】
【考案が解決しようとする課題】
【０００３】
本考案は、上述の問題に鑑みてなされたものであり、その目的は、簡単に組立可能であり、多様な組立形態を有する増設可能な棚装置を提供することにある。
【課題を解決するための手段】
【０００４】
本考案による増設可能な棚装置は、少なくとも一組の棚板アセンブリと、少なくとも二つの垂直フレームアセンブリと、を備える。棚板アセンブリは、少なくとも二つの棚板部材を有する。棚板部材は、四分円の形状を有し、一つの円弧状縁及び互いに直交する二つの側縁を有する。側縁は、棚板部材の板面と直交する方向に立設されている固定部が形成されている。垂直フレームアセンブリは、一対の垂直フレーム及び少なくとも二つの水平フレームを有する。一対の前記垂直フレームは、所定間隔を隔て、互いに平行となるよう配置されている。垂直フレームは、長方形の断面を有する。水平フレームは、内縁、外縁、および複数の接続部を有する。接続部は、内縁に設置されており、垂直フレームに固定されている。棚板部材は、垂直フレームアセンブリの二つの水平フレームに架設されている。棚板部材の固定部は、水平フレームの内縁に当接されている。
【図面の簡単な説明】
【０００５】
【図１】本考案の第一実施形態による増設可能な棚装置を示す斜視図である。
【図２】本考案の第一実施形態による増設可能な棚装置を示す分解斜視図である。
【図３Ａ】本考案の第一実施形態による増設可能な棚装置の垂直フレームアセンブリを示す部分拡大図である。
【図３Ｂ】本考案の第一実施形態による増設可能な棚装置の接続部を示す部分拡大図である。
【図３Ｃ】本考案の第一実施形態による増設可能な棚装置の接続部及び垂直フレームを示す断面図である。
【図４】本考案の第一実施形態による棚板部材を示す斜視図である。
【図５】本考案の第一実施形態による増設可能な棚装置を示す断面図である。
【図６】本考案の第一実施形態による増設可能な棚装置を示すもう一つの断面図である。
【図７】本考案の第二実施形態による増設可能な棚装置を示す斜視図である。
【図８】本考案の第三実施形態による増設可能な棚装置を示す斜視図である。
【図９】本考案の第四実施形態による増設可能な棚装置を示す斜視図である。
【図１０】本考案の第五実施形態による増設可能な棚装置を示す斜視図である。
【図１１】本考案の第二〜第四実施形態において、二つの固定部が同一の水平フレームに設けられている状態を示す断面図である。
【図１２Ａ】本考案の第一実施形態による棚板部材の変形例を示す斜視図である。
【図１２Ｂ】本考案の第一実施形態による棚板部材の変形例を示すもう一つの斜視図である。
【図１３】本考案の第六実施形態による増設可能な棚装置を示す斜視図である。
【図１４Ａ】本考案の第七実施形態による増設可能な棚装置を示す斜視図である。
【図１４Ｂ】本考案の第七実施形態による増設可能な棚装置を示す上面図である。
【図１５】従来の置物棚を示す斜視図である。
【考案を実施するための形態】
【０００６】
（第一実施形態）
第１図〜第６図に示すように、本考案の第一実施形態による増設可能な棚装置は、少なくとも一組の棚板アセンブリ１００と、二つの垂直フレームアセンブリ２０と、を備える。
【０００７】
少なくとも一組の棚板アセンブリ１００は、三つの棚板部材１０を有する。一つの棚板部材１０は、四分円の板状構造に形成され、一つの四分円弧の周縁１１及び互いに垂直する二つの側縁１２を有する。二つの側縁は、下方に伸び、二つの固定部１３に形成されている。
【０００８】
一つの垂直フレームアセンブリ２０は、一対の垂直フレーム２１及び三つの水平フレーム２２を有する。一対の垂直フレーム２１は、互いに隣接及び平行し、間に第一距離Ｌ１の間隔を有する。一つの垂直フレーム２１は、一つの長方形の断面を有する。一つの水平フレーム２２は、一つの内縁２２１及び一つの外縁２２２を有する。複数の接続部２２３は、内縁２２１に設置され、垂直フレーム２１に固定されているため、垂直フレームは２１と一体になる。
【０００９】
棚板部材１０は、垂直フレームアセンブリ２０の二つの水平フレーム２２の上に架設されている。棚板部材の固定部１３が水平フレーム２２の内縁２２１に当接されるため、一つの棚装置が形成されている。
【００１０】
勿論、使用者は、需要に応じて、垂直フレームアセンブリ２０の水平フレーム２２及び上に架設されている棚板部材１０の数を選択可能である。垂直フレームアセンブリ２０が堅固及び平衡になるために、本実施形態は、少なくとも二つの水平フレーム２２が設置されている。
【００１１】
接続部２２３は、通常の接続技術により垂直フレーム２１に固定されている。（例えば、溶接）。接続技術について、ここに詳しく述べない。
【００１２】
図１２Ａに示すように、本実施形態は、少なくとも一つの長方形の棚板部材３１を含んでもよい。一つの長方形の棚板部材３１は、四つの側縁３１１を有する。相対する二つの側縁３１１は、下方に伸び、長方形の棚板部材の二つの固定部３１２に形成されている。また、長方形の棚板部材の固定部３１２は、図１２Ａに示すように一つの棒状物が折れることにより成型する他に、図１２Ｂに示すように一つの板状物であってもよい。（勿論、棚板部材１０の固定部１３は、一つの棒状物が折れることにより成型してもよい、あるいは一つの板状物であってもよい）。
よって、長方形の棚板部材３１は、垂直フレームアセンブリの二つの水平フレーム２２の上に架設されている。長方形の棚板部材３１の固定部１３は、水平フレーム２２の内縁２２１に当接されている。
【００１３】
（第二実施形態）
第７図に示すように、本考案の第二実施形態による増設可能な棚装置は、二組の棚板アセンブリ１００と、三つの垂直フレームアセンブリ２０と、備える。二組の棚板アセンブリ１００の棚板部材１０は、各垂直フレームアセンブリ２０の水平フレーム２２に架設され、半円状構造に形成されている。
【００１４】
（第三実施形態）
第８図に示すように、本考案の第三実施形態による増設可能な棚装置は、三組の棚板アセンブリ１００と、四つの垂直フレームアセンブリ２０と、備える。三組の棚板アセンブリ１００の棚板部材１０は、各垂直フレームアセンブリ２０の水平フレーム２２に架設され、四分の三円状構造に形成されている。
【００１５】
（第四実施形態）
第９図に示すように、本考案の第四実施形態による増設可能な棚装置は、四組の棚板アセンブリ１００と、四つの垂直フレームアセンブリ２０と、備える。四組の棚板アセンブリ１００の棚板部材１０は、各垂直フレームアセンブリ２０の水平フレーム２２に架設され、円状構造に形成されている。  
【００１６】
図１１に示すように、本実施形態の水平フレーム２２の内縁２２１が囲む空間は、二つの固定部１３が同時に挿入可能である。よって、隣接した棚板部材１０の二つの固定部１３が同時に同じ水平フレーム２２の内縁２２１に当接可能であるため、実施形態は、図７〜図１０の組合せの変化になる。
【００１７】
（第五実施形態）
図１０に示すように、本考案の第五実施形態による増設可能な棚装置は、八組の棚板アセンブリ１００と、九つの垂直フレームアセンブリ２０と、備える。隣接した棚板部材１０は、連続な湾曲状構造に形成されている。（屏風、あるいはカウンターに形成されている）。棚板ユニット１００の数をＮ組とすると、垂直フレームアセンブリ２０の数は、Ｎ＋１である。Ｎは、４以上の正整数である。
【００１８】
（第六実施形態）
第１３図は、本考案の第六実施形態を示す。室内の隅に角柱７０がある場合、陳列は、手数がよくかかる。しかしながら、使用者が本考案の組合せの変化を利用すると、隣接した棚板部材１０は、隅の角柱７０を囲んで、湾曲する。また、両端は、需要に応じて、拡充を行う、あるいは他の物を置くことが可能である。（例えば、長方形棚板部材３１を拡充する）。
【００１９】
（第七実施形態）
第１４Ａ図及び第１４Ｂ図は、本考案の第七実施形態を示す。室内の中央に角柱７０がある場合、使用者が四分円の棚板部材と長方形の棚板部材の交互配列の組合せを利用すると、四分円の棚板部材１０と長方形の棚板部材３１は、長方形の断面を有する角柱７０を囲んで、湾曲し、それぞれ角柱の四つの角及び四つの面に架設されている。（四分円の棚板部材１０が四つの角に対応する一方、長方形の棚板部材３１が四つの面に対応する。）
また、四分円の棚板部材と長方形の棚板部材は、固定部の形状及び寸法がほぼ同じである。よって、本実施形態の水平フレーム２２の内縁２２１が囲む空間は、二つの固定部１３が同時に当接可能である他に、長方形の一つの棚板部材の固定部３１２及び四分円の棚板部材の一つの固定部１３が同時に当接してもよい、あるいは長方形の棚板部材の二つの固定部１３が同時に当接してもよい。つまり、隣接した二つの四分円の棚板部材１０だけではなく、隣接した一つの四分円の棚板部材１０及び一つの長方形の棚板部材３１、あるいは隣接した二つの長方形の棚板部材３１は、二つの固定部が同時に同じ水平フレーム２２の内縁２２１に当接可能である。
【００２０】
以上に述べたように、本考案は、棚板アセンブリ１００及び垂直フレームアセンブリ２０の設計を利用し、棚板１０が各垂直フレームアセンブリ２０の水平フレーム２２の上に架設することによって、棚装置が形成されている。また、需要に応じて、四分円状、半分円状、四分の三円状、円状、あるいは連続湾曲状が形成されている。使用者は、本考案の増設可能な棚装置を速く組み合わせる、外すだけではなく、需要に応じて、多種多様な組合せを変化可能である。
【００２１】
以上に述べたように、本考案の長所及び機能は、以下の通りである。
（１）簡単な組立
本考案は、棚板部材１０の固定部１３が各垂直フレームアセンブリ２０の水平フレーム２２の上に架設するため、棚装置が形成されている。本考案は、面倒な螺子、あるいは嵌接等通常の固定方式を使用しないため、組立が簡単である長所を有する。
（２）多種多様な構造の組立形式
通常の置物棚９０は、互いに接続する固定方式が設計されない、また、浴室用品を置くための寸法範囲が設計されている。よって、使用者は、  品物を置く大きな面積を必要とする、あるいは異なるスタイルで陳列する時に、通常の棚９０が目的を達成できないため、大きな面積を有する棚、あるいは異なるスタイルの棚を購入するしかない。本考案は、棚板部材１０が各垂直フレームアセンブリ２０の水平フレーム２２の上に架設することによって、棚装置が形成されている。また、需要に応じて、四分円状、半分円状、四分の三円状、円状、あるいは連続湾曲状が形成されている。使用者は、本考案の増設可能な棚装置を簡単に組み合わせる、外すだけではなく、需要に応じて、多種多様な組合せを変化可能である。よって、本考案は、構造の組立形式が多種多様である長所を有する。
本発明は、上述した実施形態に限定されるものではなく、発明の趣旨を逸脱しない範囲で種々の形態で実施可能である。
【符号の説明】
【００２２】
１００  棚板アセンブリ、                    
１０  棚板部材、
１１  円弧状周縁、円弧状周縁                        
１２  側縁、
１３  固定部、固定部                      
２０  垂直フレームアセンブリ、
２１  垂直フレーム、                
２２  水平フレーム、
２２１  内縁、                            
２２２  外縁、
２２３  接続部、                          
Ｌ１  第一距離、
３１  長方形棚板部材、                  
３１１  側縁、
３１２  固定部。
【図１】
0003191654.tif 000003
【図２】
0003191654.tif 000004
【図３Ａ】
0003191654.tif 000005
【図３Ｂ】
0003191654.tif 000006
【図３Ｃ】
0003191654.tif 000007
【図４】
0003191654.tif 000008
【図５】
0003191654.tif 000009
【図６】
0003191654.tif 000010
【図７】
0003191654.tif 000011
【図８】
0003191654.tif 000012
【図９】
0003191654.tif 000013
【図１０】
0003191654.tif 000014
【図１１】
0003191654.tif 000015
【図１２Ａ】
0003191654.tif 000016
【図１２Ｂ】
0003191654.tif 000017
【図１３】
0003191654.tif 000018
【図１４Ａ】
0003191654.tif 000019
【図１４Ｂ】
0003191654.tif 000020
【図１５】
0003191654.tif 000021